Podtech/llm-jp-corpus-v4-ja_patent huggingface dataset:
【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
モバイルデバイスのモデムにおける電力消費量を管理する方法であって、
前記モデムの受信機によって受信された信号に関連する受信電力を測定することと、
測定された前記受信電力に基づいて、前記モデムの送信機における保留中のワイヤレスデータトランザクションの送信に関連する電力消費量メトリックを推定することと、
第１の時間に前記保留中のワイヤレスデータトランザクションを送信するかどうかを決定することと、ここにおいて、前記決定は、推定された前記電力消費量メトリックに少なくとも部分的に基づき、前記受信電力の測定がページングメッセージに関するチェックに関連する前記モデムの予定されたパワーアップ中に行われることを特徴とする、
を備える方法。
【請求項２】
前記電力消費量メトリックを前記推定することは、
測定された前記受信電力から前記電力消費量メトリックを導出するように所定のマッピング機能を実行することを備える、請求項１に記載の方法。
【請求項３】
前記受信電力の前記測定および前記所定のマッピング機能は、ページングメッセージに関してチェックするための前記モデムの予定された各パワーアップ中に実行される、請求項２に記載の方法。
【請求項４】
前記所定のマッピング機能を前記実行することは、
測定された前記受信電力を送信電力にマッピングすることと、
前記送信電力を送信の瞬間コストにマッピングすることと、
前記送信の瞬間コストを前記保留中のワイヤレスデータトランザクションの送信の総コストにマッピングすることと
を備える、請求項２に記載の方法。
【請求項５】
前記電力消費量メトリックに基づいて前記第１の時間には前記保留中のワイヤレスデータトランザクションを送信しないことを決定することと、
前記第１の時間の後の第２の時間における前記保留中のワイヤレスデータトランザクションについての第２の電力消費量メトリックを推定することと
をさらに備える、請求項１に記載の方法。
【請求項６】
前記第１の時間に前記保留中のワイヤレスデータトランザクションを送信しないことの前記決定に少なくとも部分的に基づいて前記モデムをパワーダウンすることをさらに備える、請求項５に記載の方法。
【請求項７】
受信された前記第２の電力消費量メトリックに少なくとも部分的に基づいて前記第２の時間に前記保留中のワイヤレスデータトランザクションを送信することを決定することをさらに備える、請求項５に記載の方法。
【請求項８】
前記電力消費量メトリックに基づいて前記第１の時間には前記保留中のワイヤレスデータトランザクションを送信しないことを決定することと、
前記保留中のワイヤレスデータトランザクションに関連付けられたタイマーが満了したことを決定することと、
前記タイマーの前記満了に少なくとも部分的に基づいて前記保留中のワイヤレスデータトランザクションを送信することと
をさらに備える、請求項１に記載の方法。
【請求項９】
前記タイマーが満了したことの前記決定に応答して前記保留中のワイヤレスデータトランザクションに関連する優先度を高くすることをさらに備え、
前記保留中のワイヤレスデータトランザクションの前記送信は、前記保留中のワイヤレスデータトランザクションの高くされた前記優先度が前記電力消費量メトリックを上回ることの決定に少なくとも部分的に基づく、請求項８に記載の方法。
【請求項１０】
前記保留中のワイヤレスデータトランザクションに関連する優先度を識別することと、
前記保留中のワイヤレスデータトランザクションに関連する前記優先度を前記保留中のワイヤレスデータトランザクションを送信することに関連する前記電力消費量メトリックと比較することと
をさらに備え、前記保留中のワイヤレスデータトランザクションを送信するかどうかの前記決定は前記比較に基づく、請求項１に記載の方法。
【請求項１１】
前記保留中のワイヤレスデータトランザクションに関連するアプリケーションにアプリケーションプログラミングインターフェース、ＡＰＩ、を介して前記電力消費量メトリックのインジケーションを送信することをさらに備える、請求項１に記載の方法。
【請求項１２】
前記電力消費量メトリックを求める、前記ＡＰＩを介した前記アプリケーションからの要求を前記モデムにおいて受信することをさらに備え、
前記電力消費量メトリックは、前記受信された要求に応答して前記ＡＰＩを介して前記アプリケーションに送信される、請求項１１に記載の方法。
【請求項１３】
前記電力消費量メトリックを複数の所定のカテゴリのうちの選択されたカテゴリに分類することをさらに備え、
前記電力消費量メトリックの前記インジケーションは、前記選択されたカテゴリを備える、請求項１１に記載の方法。
【請求項１４】
前記保留中のワイヤレスデータトランザクションを送信するかどうかの前記決定は前記アプリケーションにおいてまたは前記モデムにおいて行われる、請求項１１に記載の方法。
【請求項１５】
前記決定が前記モデムにおいて行われるときに、
前記モデムに関連するバッファにおいて前記保留中のワイヤレスデータトランザクションを受信することと、
前記決定に基づいて前記保留中のワイヤレスデータトランザクションを前記モデムからネットワークに送信することと
をさらに備える、請求項１４に記載の方法。
【請求項１６】
アプリケーションから前記電力消費量メトリックについての要求を受信することであって、前記電力消費量メトリックは、前記アプリケーションに関連する前記保留中のワイヤレスデータトランザクションの送信のコストを示す、受信することと、前記モデムの前記予定されたパワーアップまで前記要求をバッファすることであって、前記受信電力を測定することと前記電力消費量メトリックを推定することとは前記要求に応答して行われる、バッファすることと、をさらに備える、請求項１に記載の方法。
【請求項１７】
モバイルデバイスであって、
送信機と、
受信機と、
前記受信機によって受信された信号に関連する受信電力を測定するように構成された受信電力測定モジュールと、
測定された前記受信電力に基づいて、前記送信機における保留中のワイヤレスデータトランザクションの送信に関連する電力消費量メトリックを推定するように構成された電力消費量メトリックモジュールと、
第１の時間に前記送信機において前記保留中のワイヤレスデータトランザクションを送信するかどうかを決定するように構成されたトランザクション決定モジュールと、ここにおいて、前記決定は、推定された前記電力消費量メトリックに少なくとも部分的に基づき、前記受信電力の測定がページングメッセージの受信に関連するモデムの予定されたパワーアップ中に行われることを特徴とする、
を備えるモバイルデバイス。
【請求項１８】
有形のコンピュータ可読記憶デバイスを備えるコンピュータプログラム製品であって、
前記有形のコンピュータ可読記憶デバイスは、それに記憶されたコンピュータ可読プログラムコードを備え、前記コンピュータ可読プログラムコードは、実行されたときに、請求項１〜１６のいずれか１項に記載の方法を実施する命令を備える、コンピュータプログラム製品。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいてコントローラを動作させる方法であって、
休止状態に入るようにワイヤレスデバイスをトリガするための要求を、アプリケーションサーバにおけるアクティブプロセスから受信することと、
前記ワイヤレスデバイスから、時間間隔に対応するネットワークトラフィック情報を受信することと、
前記アクティブプロセスが前記時間間隔の間の前記ワイヤレスデバイスのトランスポートレイヤにおけるネットワークトラフィックを単独で担っていることを、前記ネットワークトラフィック情報が示す場合に、前記ワイヤレスデバイスが前記休止状態に入るように、１つまたは複数のコマンドを前記ワイヤレスデバイスに送信することと
を備える、方法。
【請求項２】
前記ネットワークトラフィック情報は、前記時間間隔の間の前記ネットワークトラフィックにしたがって動的に更新される、請求項１に記載の方法。
【請求項３】
前記１つまたは複数のコマンドは、第１の状態から前記休止状態に遷移するように前記ワイヤレスデバイスをトリガするように適応され、前記休止状態の前記ワイヤレスデバイスの電力消費は、前記第１の状態の電力消費よりも少ない、請求項１に記載の方法。
【請求項４】
通信ネットワークにおいてワイヤレスデバイスを動作させる方法であって、
時間間隔の間の前記ワイヤレスデバイスにおけるネットワークトラフィック情報を記憶することと、
前記通信ネットワークのコントローラからの要求を受信することに応答して、前記ワイヤレスデバイスから前記コントローラに前記ネットワークトラフィック情報を送信することと、
アプリケーションサーバにおけるアクティブプロセスが前記時間間隔の間の前記ワイヤレスデバイスのトランスポートレイヤにおけるネットワークトラフィックを単独で担っていることを、前記ネットワークトラフィック情報が示す場合に、前記コントローラからの１つまたは複数のコマンドを受信することに応答して休止状態に入ることと、
を備える、方法。
【請求項５】
前記ネットワークトラフィック情報は、前記時間間隔の間の前記ワイヤレスデバイスのトランスポートレイヤにおけるポートアクティビティを備える、請求項４に記載の方法。
【請求項６】
前記時間間隔の間の前記ワイヤレスデバイスのトランスポートレイヤにおけるネットワークトラフィックにしたがって、前記ネットワークトラフィック情報を動的に更新することをさらに備える、請求項４に記載の方法。
【請求項７】
前記ネットワークトラフィック情報は、複数のデータ項目を備え、前記データ項目の各々は、前記ワイヤレスデバイスのためのポート番号とタイムスタンプとを備え、前記タイムスタンプは、データパケットが前記ポート番号によって識別されたポートにおいて前記ワイヤレスデバイスによって最後に送信または受信された時間に対応する、請求項１または４に記載の方法。
【請求項８】
前記時間間隔は予め決められている、請求項１または４に記載の方法。
【請求項９】
前記時間間隔を調整することをさらに備える、請求項１または４に記載の方法。
【請求項１０】
前記１つまたは複数のコマンドに応答して第１の状態から前記休止状態に遷移することをさらに備え、ここにおいて、前記休止状態の前記ワイヤレスデバイスの電力消費は、前記第１の状態の電力消費よりも少ない、請求項４に記載の方法。
【請求項１１】
前記第１の状態は、セル＿ＤＣＨ状態、セル＿ＦＡＣＨ状態、セル＿ＰＣＨ状態、およびＵＲＡ＿ＰＣＨ状態から成るグループから選択された１つである、請求項３または１０に記載の方法。
【請求項１２】
前記休止状態は、セル＿ＦＡＣＨ状態、セル＿ＰＣＨ状態、ＵＲＡ＿ＰＣＨ状態、およびアイドルモードから成るグループから選択された１つである、請求項３または１０に記載の方法。
【請求項１３】
ワイヤレス通信ネットワークにおいて動作可能なコントローラであって、
休止状態に入るようにワイヤレスデバイスをトリガするための要求を、アプリケーションサーバにおけるアクティブプロセスから受信するための手段と、
前記ワイヤレスデバイスから、時間間隔に対応するネットワークトラフィック情報を受信するための手段と、
前記アクティブプロセスが前記時間間隔の間の前記ワイヤレスデバイスのトランスポートレイヤにおけるネットワークトラフィックを単独で担っていることを、前記ネットワークトラフィック情報が示す場合に、前記ワイヤレスデバイスが前記休止状態に入るように、１つまたは複数のコマンドを前記ワイヤレスデバイスに送信するための手段と
を備える、コントローラ。
【請求項１４】
通信ネットワークにおいて動作可能なワイヤレスデバイスであって、
時間間隔の間の前記ワイヤレスデバイスにおけるネットワークトラフィック情報を記憶するための手段と、
前記通信ネットワークのコントローラからの要求を受信することに応答して、前記ワイヤレスデバイスから前記コントローラに前記ネットワークトラフィック情報を送信するための手段と、
アプリケーションサーバにおけるアクティブプロセスが前記時間間隔の間の前記ワイヤレスデバイスのトランスポートレイヤにおけるネットワークトラフィックを単独で担っていることを、前記ネットワークトラフィック情報が示す場合に、前記コントローラからの１つまたは複数のコマンドを受信することに応答して休止状態に入るための手段と
を備える、ワイヤレスデバイス。
【請求項１５】
コンピュータ可読記憶媒体を備えるコンピュータプログラム製品であって、
前記コンピュータ可読記憶媒体は、通信ネットワークにおいて動作可能なワイヤレスデバイスに、請求項１乃至１３のいずれかにしたがう方法を実行させるためのコードを備える、コンピュータプログラム製品。
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
SEQ ID NO:1のタンパク質をコードする、核酸配列。
【請求項２】
請求項1記載の核酸配列を含む、ベクター。
【請求項３】
宿主細胞における請求項1記載の核酸配列または請求項2記載のベクターの発現によって得られた、または得ることができる、タンパク質。
【請求項４】
宿主細胞が原核生物宿主細胞である、請求項3記載のタンパク質。
【請求項５】
宿主細胞が大腸菌である、請求項3または4記載のタンパク質。
【請求項６】
SEQ ID NO:6の核酸配列によってコードされる、タンパク質。
【請求項７】
請求項3または4記載のタンパク質を含む、薬学的組成物。
【請求項８】
SEQ ID NO:2および/または3のタンパク質を含む、組成物。
【請求項９】
SEQ ID NO:4および/または5のタンパク質をさらに含む、請求項8記載の組成物。
【請求項１０】
SEQ ID NO:2のタンパク質の量がSEQ ID NO:3のタンパク質の量より多い、請求項8または9記載の組成物。
【請求項１１】
SEQ ID NO:2および3のタンパク質の量がSEQ ID NO:4および/または5のタンパク質の量より多い、請求項9または10記載の組成物。
【請求項１２】
請求項1記載の核酸配列または請求項2記載のベクターを含む、宿主細胞。
【請求項１３】
原核生物宿主細胞または真核生物宿主細胞である、請求項12記載の宿主細胞。
【請求項１４】
大腸菌である、請求項13記載の原核生物宿主細胞。
【請求項１５】
大腸菌BL21である、請求項14記載の原核生物宿主細胞。
【請求項１６】
コードされるタンパク質の発現を可能にする条件下で請求項12〜15いずれか一項記載の宿主細胞を培養する工程および得られた薬学的組成物を回収する工程を含む、薬学的組成物を製造する方法。
【手続補正２】
【補正対象書類名】明細書
【補正対象項目名】００２３
【補正方法】変更
【補正の内容】
【００２３】
本発明はまた、コードされるタンパク質の発現を可能にする条件下で、本発明の宿主細胞を培養する工程および得られた薬学的組成物を回収する工程を含む、薬学的組成物を製造する方法に関する。
[本発明1001]
SEQ ID NO:1のタンパク質をコードする、核酸配列。
[本発明1002]
本発明1001の核酸配列を含む、ベクター。
[本発明1003]
宿主細胞における本発明1001の核酸配列または本発明1002のベクターの発現によって得られた、または得ることができる、タンパク質。
[本発明1004]
宿主細胞が原核生物宿主細胞である、本発明1003のタンパク質。
[本発明1005]
宿主細胞が大腸菌である、本発明1003または1004のタンパク質。
[本発明1006]
SEQ ID NO:6の核酸配列によってコードされる、タンパク質。
[本発明1007]
本発明1003または1004のタンパク質を含む、薬学的組成物。
[本発明1008]
SEQ ID NO:2および/または3のタンパク質を含む、組成物。
[本発明1009]
SEQ ID NO:4および/または5のタンパク質をさらに含む、組成物。
[本発明1010]
SEQ ID NO:2のタンパク質の量がSEQ ID NO:3のタンパク質の量より多い、本発明1008の組成物。
[本発明1011]
SEQ ID NO:2および3のタンパク質の量がSEQ ID NO:4および/または5のタンパク質の量より多い、本発明1008〜1010いずれかの組成物。
[本発明1012]
本発明1001の核酸配列または本発明1002のベクターを含む、宿主細胞。
[本発明1013]
原核生物宿主細胞または真核生物宿主細胞である、本発明1012の宿主細胞。
[本発明1014]
大腸菌である、本発明1012の原核生物宿主細胞。
[本発明1015]
大腸菌BL21である、本発明1014の原核生物宿主細胞。
[本発明1016]
コードされるタンパク質の発現を可能にする条件下で本発明1012〜1015いずれかの宿主細胞を培養する工程および得られた薬学的組成物を回収する工程を含む、薬学的組成物を製造する方法。
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
複数の電気接点パッドを有する基板と、
前記基板に平行であり、上面を有する成形層と、
前記複数の電気接点パッド上に位置する複数のハンダボールであって、前記複数のハンダボールのうちの各ハンダボールが前記複数の電気接点パッドのうちの対応する電気接点パッド上に位置し、各ハンダボールが前記成形層内に形成された複数のモールド貫通ビアのうちの対応するモールド貫通ビアによって少なくとも部分的に覆われておらず、前記複数のモールド貫通ビアが複数の行に配列されていて、前記複数のハンダボールのうちの各ハンダボールが垂直方向の直径及び水平方向の直径を有し、前記成形層の上面が各ハンダボールの上部と同一平面上にあり、各モールド貫通ビアの直径が各ハンダボールの水平方向の直径よりも小さい、複数のハンダボールと、
前記複数のモールド貫通ビアのうちの少なくともいくつかの外側部分に位置し、前記複数のモールド貫通ビアのうちの少なくともいくつかに隣接する複数の溝であって、前記複数の溝のうちの各溝が、溶融時に隣接するハンダボールの少なくとも一部を収容するように、前記成形層の上面から対応するハンダボールの垂直方向の直径の半分以下の深さまで、前記成形層内において垂直方向に延在する、複数の溝と、
を備える、装置。
【請求項２】
前記複数のモールド貫通ビアの前記複数の行が、
前記装置の周辺部に延在するモールド貫通ビアの外側の行と、
前記モールド貫通ビアの外側の行に隣接し、前記装置の周辺部に延在するモールド貫通ビアの内側の行と、
を備える、請求項１に記載の装置。
【請求項３】
前記モールド貫通ビアの外側の行の各モールド貫通ビアが、前記装置の周辺部に面する第１の外側と、前記装置の中心に面する第１の内側とを有し、前記モールド貫通ビアの内側の行の各モールド貫通ビアが、前記装置の中心に面する第２の外側と、前記装置の周辺部に面する第２の内側とを有する、請求項２に記載の装置。
【請求項４】
前記複数の溝のうちの各溝が互いに分離していて、
前記複数の溝が、少なくとも一対の隣接するハンダボールに対応する少なくとも一対の溝を含む、請求項１に記載の装置。
【請求項５】
前記複数の溝のうちの各溝の水平方向の長さが、対応するハンダボールの前記水平方向の直径の長さ程度である、請求項１に記載の装置。
【請求項６】
前記複数のハンダボールのうちの各ハンダボールが、前記成形層の上面と同一平面上にある、請求項１に記載の装置。
【請求項７】
前記成形層の一部分が、前記複数の溝のうちの各溝を形成するために取り除かれている、請求項１に記載の装置。
【請求項８】
取り除かれた前記一部分が、溶融時に対応するハンダボールの略５０％を収容するのに十分大きい、請求項７に記載の装置。
【請求項９】
取り除かれた前記一部分が、溶融時に対応するハンダボールの４０％〜５０％を収容するのに十分大きい、請求項７に記載の装置。
【請求項１０】
前記複数の溝が、溶融時に対応するハンダボール用の圧力軽減経路を提供する、請求項１に記載の装置。
【請求項１１】
音楽プレーヤ、ビデオプレーヤ、娯楽ユニット、ナビゲーションデバイス、通信デバイス、携帯情報端末（ＰＤＡ）、固定位置データユニット、およびコンピュータのうちの少なくとも１つに組み込まれた請求項１に記載の装置。
【請求項１２】
前記複数のハンダボールが前記基板上の内側の行及び外側の行に配列されている、請求項１に記載の装置。
【請求項１３】
前記内側の行のハンダボールに対応する各溝が、対応するハンダボールの内側のみに形成されていて、
前記外側の行のハンダボールに対応する各溝が、対応するハンダボールの外側のみに形成されている、請求項１２に記載の装置。
【請求項１４】
前記基板が長方形であり、前記内側の溝及び前記外側の行の両方が長方形である、請求項１２に記載の装置。
【請求項１５】
前記内側の行の角にあるハンダボールに対応する溝がＬ字形状を有する、請求項１２に記載の装置。
【請求項１６】
前記内側の行の角にない前記内側の行のハンダボールに対応する溝が直線状である、請求項１２に記載の装置。
【請求項１７】
前記外側の行の角にあるハンダボールに対応する溝がＬ字形状を有する、請求項１２に記載の装置。
【請求項１８】
前記外側の行の角にあるハンダボールに対応する溝が直線状である、請求項１２に記載の装置。
【請求項１９】
前記外側の行の角にあるハンダボールに対応する一対の溝が設けられている、請求項１２に記載の装置。
【請求項２０】
前記外側の行の角にあるハンダボールに対応する一対の溝が両方とも直線状である、請求項１９に記載の装置。
【請求項２１】
前記外側の行の角にない前記外側の行のハンダボールに対応する溝が直線状である、請求項１２に記載の装置。
【請求項２２】
前記内側の行及び前記外側の行が二行のみである、請求項１２に記載の装置。
【請求項２３】
前記内側の行及び前記外側の行が前記基板の周辺部に沿って形成されている、請求項２２に記載の装置。
【請求項２４】
前記複数のモールド貫通ビアのうちの少なくとも一つが円形であり、対応する隣接する溝が長方形である、請求項１に記載の装置。
【請求項２５】
前記対応する隣接する溝が、該対応する隣接する溝が隣接しているモールド貫通ビアの外径以下の長さを有する、請求項２４に記載の装置。
【請求項２６】
取り除かれた前記一部分が、溶融時に対応するハンダボールの５０％以下を収容する大きさである、請求項７に記載の装置。
【請求項２７】
取り除かれた前記一部分が、溶融時に対応するハンダボールの５０％〜６０％を収容する大きさである、請求項７に記載の装置。
【請求項２８】
取り除かれた前記一部分が、溶融時に対応するハンダボールの３０％〜４０％を収容する大きさである、請求項７に記載の装置。
【請求項２９】
取り除かれた前記一部分が、溶融時に対応するハンダボールの２５％〜３０％を収容する大きさである、請求項７に記載の装置。
【請求項３０】
取り除かれた前記一部分が、溶融時に対応するハンダボールの１０％以上を収容する大きさである、請求項７に記載の装置。
【請求項３１】
前記装置が成形レーザパッケージである、請求項１に記載の装置。
【請求項３２】
請求項１に記載の装置を形成する方法。
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
ワイヤレス通信装置の送信電力レベルを制御する方法であって、
デセンスイベントを検出することと、ここで前記デセンスイベントを検出することが、
第１のしきい値以上である連続する間違って受信されたフレームの数を検出することと、ここにおいて、前記ワイヤレス通信装置の送信機は、連続する間違って受信されたフレームの前記数が、前記第１のしきい値以上であることを検出したことに応答して、非アクティブ化される、
前記ワイヤレス通信装置の前記送信機が非アクティブ化される前後の前記ワイヤレス通信装置の受信機の受信電力レベルの変化が、第２のしきい値よりも大きいことを検出することと
を備え、
前記デセンスイベントを検出したことに応答して、第１の送信電力レベルに前記ワイヤレス通信装置の前記送信機の前記送信電力レベルを調整することと、
前記第１の送信電力レベルに前記送信電力レベルを調整したことに応答して、第１の時間間隔の間に前記第１の送信電力レベルに前記送信電力レベルを維持することと、
前記第１の時間間隔の後に第２の時間間隔の間にあるレートで前記ワイヤレス通信装置の前記送信機の送信電力レベル限界を徐々に調整することと
を備える方法。
【請求項２】
前記第１の送信電力レベルが、前記デセンスイベントよりある数のフレームだけ前の前記送信電力レベルに対応する、請求項１に記載の方法。
【請求項３】
フレームの前記数が１０フレームと３０フレームとの間である、請求項２に記載の方法。
【請求項４】
前記第１の時間間隔が、０．５秒と１０秒との間である、請求項１に記載の方法。
【請求項５】
前記第２の時間間隔は、前記送信電力レベル限界が、最大電力送信限界に達したときに終了する、請求項１に記載の方法。
【請求項６】
前記レートが、フレームの選択数ごとにある量だけ前記送信電力レベル限界を増加させることに対応する、請求項１に記載の方法。
【請求項７】
前記量が、第１の値から前記送信電力限界を減算したものを第２の値で除算することによって判断される、請求項６に記載の方法。
【請求項８】
最大送信電力限界、または
前記デセンスイベントの前の記憶された送信電力レベルを第３の値に加算したもの
のうちの最大のものに基づいて、前記検出されたデセンスイベントに応答して、前記送信電力限界を最初に判断することをさらに備える、請求項７に記載の方法。
【請求項９】
前記最大送信電力限界が１６ｄＢｍであり、前記第３の値が１ｄＢと６ｄＢとの間である、請求項８に記載の方法。
【請求項１０】
前記第１のしきい値が１０フレームと１４フレームとの間であり、前記第２のしきい値が４ｄＢと８ｄＢとの間である、請求項１に記載の方法。
【請求項１１】
前記送信電力レベルを調整することは、前記デセンスイベントが検出された後、正しく受信されたフレームの第１の数が連続するフレームの第２の数の中から受信されたことを検出することに応答して、前記送信電力レベルを調整することを備える、請求項１に記載の方法。
【請求項１２】
ワイヤレス通信装置であって、
ある送信電力レベルでワイヤレス通信を送信するための手段と、
ワイヤレス通信を受信するための手段と、
デセンスイベントを検出するための手段と、前記デセンスイベントを検出するための前記手段が、
第１のしきい値以上である連続する間違って受信されたフレームの数を検出するための手段と、ここにおいて、前記送信するための手段は、連続する間違って受信されたフレームの前記数が、前記第１のしきい値よりも大きいことを検出したことに応答して、非アクティブ化され、
前記送信するための手段が非アクティブ化される前後の前記受信するための手段の受信電力レベルの変化が、第２のしきい値よりも大きいことを検出するための手段とを備え、
前記デセンスイベントを検出したことに応答して、第１の送信電力レベルに前記送信電力レベルを調整するための手段と、
前記第１の送信電力レベルに前記送信電力レベルを調整したことに応答して、第１の時間間隔の間に前記第１の送信電力レベルに前記送信電力レベルを維持するための手段と、
前記第１の時間間隔の後に第２の時間間隔の間にあるレートで前記送信するための手段の送信電力レベル限界を徐々に調整するための手段と
を備える、ワイヤレス通信装置。
【請求項１３】
前記送信するための手段が、送信電力レベルでワイヤレス通信を送信するように構成される送信機を備え、前記受信するための手段が、受信機を備え、並びに、検出するための手段、調整するための手段、維持するための手段、および徐々に調整するための手段が、請求項１から請求項１１の何れかに従った方法を実施するように構成されるコントローラを備える、請求項１２に記載のワイヤレス通信装置。
【請求項１４】
実行されたとき、ワイヤレス通信装置に請求項１から請求項１１の何れかに従った方法を実行させる命令で、その上に符号化された非一時的コンピュータ可読媒体を備える、コンピュータプログラム製品。
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
患者に呼吸治療の療法を提供する患者インタフェース装置のための一体型のクッション及びヘッドギアストラップシステムであって、当該システムは、
フレキシブルなポリマー材料でできた２つ以上のヘッドギアストラップであって、各ヘッドギアストラップは、近位端部及び遠位端部を有し、ヘッドギアストラップの各遠位端部は、ヘッドギアシステムに取り付ける又は係合することができる当該ヘッドギアストラップと、
フレキシブルなポリマー材料でできた、前記ヘッドギアストラップの各近位端部に一体的に接続されるクッションであって、前記ヘッドギアストラップ及び前記クッションは、連続部品を形成し、前記クッションは、前記患者による前記患者インタフェース装置の装着に応じて前記患者の顔に接する第１側部と、前記第１側部に対向する第２側部とを有する、当該クッションと、
円形断面を持ちサーモプラスチック材料でできた、前記クッションの前記第２側部の開口部に位置付けられて前記クッションの前記第２側部によって囲まれた円筒状のハブであって、流体コネクタに接続される当該ハブと
を有するシステム。
【請求項２】
前記クッションは、前記患者の鼻と前記患者の上唇との間に位置付けられる、請求項１に記載のシステム。
【請求項３】
前記クッションは、前記患者の鼻孔にはめ込まれる又はこれらに隣接して位置付けられる実質的に並行な突出部を有する、請求項１に記載のシステム。
【請求項４】
前記クッションは、前記患者の上唇から前記患者の鼻梁まで延びる、請求項１に記載のシステム。
【請求項５】
前記２つ以上のヘッドギアストラップは、４つのヘッドギアストラップを有する、請求項４に記載のシステム。
【請求項６】
前記ヘッドギアストラップ及び前記クッションはそれぞれ、約２０ｓｈＡから約８５ｓｈＡまでのデュロメータ硬度を持つ材料を含む、請求項１に記載のシステム。
【請求項７】
前記ハブは、約７０ｓｈＡから約１２０ロックウェルＲまでのデュロメータ硬度を持つ材料を含む、請求項１に記載のシステム。
【請求項８】
前記ヘッドギアストラップ及び前記クッションは、前記ハブの上にオーバーモールディングされる、請求項１に記載のシステム。
【請求項９】
前記ヘッドギアストラップ及び前記クッションは、接着剤又は他の化学的、機械的、若しくは熱的手段によって、前記ハブに結合される、請求項１に記載のシステム。
【請求項１０】
患者に呼吸治療の療法を提供する患者インタフェース装置のための一体型のクッション及びヘッドギアストラップシステムを製造する方法であって、前記方法は、
円形断面を持ちサーモプラスチック材料でできた円筒状のハブを供給するステップであって、前記ハブは流体コネクタに接続されるように構成されるステップと、
一体的なクッション・ヘッドギア部を前記ハブに係合するステップとを含み、
前記クッション・ヘッドギア部が（ｉ）フレキシブルなポリマー材料からなる２つ以上のヘッドギアストラップと、（ｉｉ）フレキシブルなポリマー材料からなるとともに前記ヘッドギアストラップの各近位端部に一体的に接続されるクッションとを備え、
各ヘッドギアストラップは、近位端部及び遠位端部を有し、ヘッドギアストラップの各遠位端部は、ヘッドギアシステムに取り付け又は係合可能であり、前記２つ以上のヘッドギアストラップ及び前記クッションは連続部品を形成し、前記クッションが、前記患者による前記患者インタフェース装置の装着に応じて前記患者の顔の一部に接する第１側部と、前記第１側部に対向する第２側部とを有し、前記ハブは、前記クッションの前記第２側部の開口部に位置付けられて前記クッションの前記第２側部によって囲まれる、
方法。
【請求項１１】
前記係合するステップは、前記クッション・ヘッドギア部を前記ハブの上にオーバーモールディングするステップを含む、請求項１０に記載の方法。
【請求項１２】
前記クッション・ヘッドギア部は約２０ｓｈＡから約８５ｓｈＡまでのデュロメータ硬度を持つ材料を含む、請求項１０に記載の方法。
【請求項１３】
前記ハブは約７０ｓｈＡから約１２０ロックウェルＲまでのデュロメータ硬度を持つ材料を含む、請求項１０に記載の方法。
【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
オンラインサインアップ（ＯＳＵ）のサービスセット識別子（ＳＳＩＤ）を使用してホットスポットと結合し；
前記ホットスポットを介して、ＯＳＵサーバとトランスポートレイヤセキュリティ（ＴＬＳ）セッションを設定し；
加入に対するサインアップのため及び認証情報の提供のために前記ＯＳＵサーバとプロビジョニングメッセージを交換し；
前記ＯＳＵサーバから、加入管理オブジェクトを受信し；且つ
前記ＯＳＵのＳＳＩＤを使用して前記ホットスポットから分離し且つ該ＯＳＵのＳＳＩＤとは異なる第１のＳＳＩＤ及び前記加入管理オブジェクトを使用して前記ホットスポットと結合する、
論理部を有する１つ以上のプロセッサ；及び
２以上のアンテナ；
を備える装置。
【請求項２】
前記プロビジョニングメッセージは、オープン・モバイル・アライアンス・デバイス・マネジメント（ＯＭＡ−ＤＭ）メッセージを含む、
請求項１に記載の装置。
【請求項３】
前記プロビジョニングメッセージは、シンプル・オブジェクト・アクセス・プロトコル拡張マークアップ言語（ＳＯＡＰ−ＸＭＬ）メッセージを含む、
請求項１に記載の装置。
【請求項４】
前記論理部は、さらに、証明書ベースの認証情報のプロビジョニングのための証明書登録プロトコルを起動し；且つ
前記証明書ベースの認証情報のプロビジョニングの後、前記論理部は、さらに、前記加入管理オブジェクトに場所を追加するための前記ＯＳＵサーバからのコマンドを受信する、
請求項１に記載の装置。
【請求項５】
前記ホットスポットが、第１の基本サービスセット識別子（ＢＳＳＩＤ）及びＯＳＵのＢＳＳＩＤを提供する場合であり；且つ
前記装置は、認証情報の提供のために前記ＯＳＵのＢＳＳＩＤを使用するように構成される、
請求項１に記載の装置。
【請求項６】
前記ＯＳＵのＳＳＩＤは、前記第１のＳＳＩＤから導出される、
請求項１に記載の装置。
【請求項７】
前記ＯＳＩのＳＳＩＤはベンダー固有の情報要素に含まれる、
請求項１に記載の装置。
【請求項８】
前記第１のＳＳＩＤ及び第１のＢＳＳＩＤは送信されるプロファイルの一部であり；且つ
前記ＯＳＵのＳＳＩＤ及びＯＳＵのＢＳＳＩＤは送信されないプロファイルの一部である、
請求項５に記載の装置。
【請求項９】
従属プロファイルの中のオンラインサインアップ（ＯＳＵ）のサービスセット識別子（ＳＳＩＤ）を使用してホットスポットと結合し、且つＯＳＵサーバに対する安全な接続を設定し；
加入に対するサインアップのため及び認証情報部分を有する加入管理オブジェクトを作成するのに必要な情報を識別するために前記ＯＳＵサーバとマネジメントメッセージを交換し；
前記加入管理オブジェクトを取得し；
前記ホットスポットから分離し；且つ
前記ホットスポットのプライマリプロファイルの中の前記ＯＳＵのＳＳＩＤとは異なる第１のＳＳＩＤ及び前記加入管理オブジェクトの認証情報部分の中の情報を使用して前記ホットスポットと結合する、
論理部、を有する１つ以上のプロセッサ；及び
２以上のアンテナ；
を備える装置。
【請求項１０】
前記従属プロファイルは、ＯＳＵプロバイダリストの中のフィールドとして含まれる、送信されないプロファイルであり；且つ
前記論理部は、さらに、前記ＯＳＵプロバイダリストを取得する、
請求項９に記載の装置。
【請求項１１】
前記従属プロファイルは、Ｗｉ−Ｆｉアライアンス（ＷＦＡ）のベンダー固有の情報要素の一部であり；且つ
前記論理部は、さらに、前記ＯＳＵのＳＳＩＤを取得するために、前記ベンダー固有の情報要素を復号化する、
請求項９に記載の装置。
【請求項１２】
前記論理部は、さらに、前記第１のＳＳＩＤをユーザに表示し、且つ前記第１のＳＳＩＤが表示される場合、前記ＯＳＵのＳＳＩＤを隠す、
請求項９に記載の装置。
【請求項１３】
前記論理部は、さらに、オンラインサインアップに使用される前記ＯＳＵのＳＳＩＤを含むＯＳＵプロバイダリストを受信する、
請求項１に記載の装置。
【請求項１４】
前記装置は、
前記２以上のアンテナと結合されるように構成される送受信部、
をさらに備える、請求項１に記載の装置。
【請求項１５】
前記論理部は、さらに、前記第１のＳＳＩＤ及び前記ＯＳＵのＳＳＩＤを提供する前記ホットスポットをプローブレスポンスに基づき識別する、
請求項１に記載の装置。
【請求項１６】
無線ネットワークの中の装置を操作するための複数の操作を行うための１つ以上のプロセッサによる実行のための指令を記憶する非一時的コンピュータ可読記憶媒体であって、前記複数の操作は、
オンラインサインアップ（ＯＳＵ）のサービスセット識別子（ＳＳＩＤ）を使用してホットスポットと結合し；
前記ホットスポットを介して、ＯＳＵサーバとトランスポートレイヤセキュリティ（ＴＬＳ）セッションを設定し；
加入に対するサインアップのため及び認証情報の提供のために前記ＯＳＵサーバとプロビジョニングメッセージを交換し；
前記ＯＳＵサーバから、加入管理オブジェクトを取得し；且つ
前記ＯＳＵのＳＳＩＤを使用して前記ホットスポットから分離し且つ該ＯＳＵのＳＳＩＤとは異なる第１のＳＳＩＤ及び前記加入管理オブジェクトを使用して前記ホットスポットと結合する、
ように前記装置を構成する、
非一時的コンピュータ可読記憶媒体。
【請求項１７】
前記プロビジョニングメッセージは、オープン・モバイル・アライアンス・デバイス・マネジメント（ＯＭＡ−ＤＭ）メッセージを含む、
請求項１６に記載の非一時的コンピュータ可読記憶媒体。
【請求項１８】
前記プロビジョニングメッセージは、シンプル・オブジェクト・アクセス・プロトコル拡張マークアップ言語（ＳＯＡＰ−ＸＭＬ）メッセージを含む、
請求項１６に記載の非一時的コンピュータ可読記憶媒体。
【請求項１９】
前記指令は、さらに、証明書ベースの認証情報のプロビジョニングのための証明書登録プロトコルを起動するように前記装置を構成し；且つ
前記証明書ベースの認証情報のプロビジョニングの後、前記指令は、さらに、前記加入管理オブジェクトに場所を追加するための前記ＯＳＵサーバからのコマンドを受信するように前記装置を構成する、
請求項１６に記載の非一時的コンピュータ可読記憶媒体。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
送信装置によってデータを送信する方法であって、前記方法は、
重複バージョン（ＲＶ）を前記データに適用することと、
前記データをスクランブすることと、
複数の連続するサブフレームで前記データを複数回送信することと
を含み、
前記データは、Ｒ個の連続するサブフレームに対して同一であるスクランブリングシーケンスを用いてスクランブされ、Ｒは、１より大きい所定の正の整数であり、
前記データに対する前記ＲＶは、前記スクランブリングシーケンスが同一である前記Ｒ個の連続するサブフレームにわたって同一であり、
前記データに対する前記ＲＶは、Ｒ個の連続するサブフレームごとに変更される、方法。
【請求項２】
前記送信装置によって、前記複数の連続するサブフレームにおける、異なるＲＶが前記データに適用されるサブフレームに対して、異なるスクランブリングシーケンスを用いて前記データをスクランブすることをさらに含む、請求項１に記載の方法。
【請求項３】
前記送信装置によって前記データをプリコーディングすることをさらに含み、
前記データは、前記複数の連続するサブフレーム内のＰ個の連続するサブフレームにわたって同一のプリコーディング行列を使用してプリコーディングされ、Ｐは、前記送信装置によって構成される正の整数である、請求項１または２に記載の方法。
【請求項４】
前記データは、前記Ｐ個の連続するサブフレームにおける同一のリソースブロックを使用して送信される、請求項３に記載の方法。
【請求項５】
前記データと関連付けられる参照信号を前記複数の連続するサブフレームで複数回送信することをさらに含む、請求項１または２に記載の方法。
【請求項６】
受信装置によってデータを受信する方法であって、前記方法は、
複数の連続するサブフレームで前記データを複数回受信することと、
前記データに対する重複バージョン（ＲＶ）および前記データに対するスクランブリングシーケンスに基づいて前記データを復号することと
を含み、
前記データに対する前記スクランブリングシーケンスは、Ｒ個の連続するサブフレームに対して同一であり、Ｒは、１より大きい所定の正の整数であり、
前記データに対する前記ＲＶは、前記スクランブリングシーケンスが同一である前記Ｒ個の連続するサブフレームにわたって同一であり、
前記データに対する前記ＲＶは、Ｒ個の連続するサブフレームごとに変更される、方法。
【請求項７】
前記データは、前記複数の連続するサブフレーム内における、異なるＲＶが前記データに適用されるサブフレームに対して、異なるスクランブリングシーケンスを使用して復号される、請求項６に記載の方法。
【請求項８】
前記受信装置によって、プリコーディング行列を使用して前記データを受信することをさらに含み、
前記プリコーディング行列は、前記複数の連続するサブフレーム内のＰ個の連続するサブフレームにわたって同一であり、Ｐは、送信装置によって構成される正の整数である、請求項６または７に記載の方法。
【請求項９】
前記データは、前記Ｐ個の連続するサブフレームにおける同一のリソースブロックを使用して受信される、請求項８に記載の方法。
【請求項１０】
前記データと関連付けられる参照信号を前記複数の連続するサブフレームで複数回受信することをさらに含む、請求項６または７に記載の方法。
【請求項１１】
データを送信する送信装置であって、前記送信装置は、
無線周波数（ＲＦ）ユニットと、
前記ＲＦユニットを制御するように構成されたプロセッサと
を備え、
前記プロセッサは、
重複バージョン（ＲＶ）を前記データに適用することと、
前記データをスクランブすることと、
複数の連続するサブフレームで前記データを複数回送信するように前記送信装置を制御することと
を行うように構成され、
前記データは、Ｒ個の連続するサブフレームに対して同一であるスクランブリングシーケンスを用いてスクランブされ、Ｒは、１より大きい所定の正の整数であり、
前記データに対する前記ＲＶは、前記スクランブリングシーケンスが同一である前記Ｒ個の連続するサブフレームにわたって同一であり、
前記データに対する前記ＲＶは、Ｒ個の連続するサブフレームごとに変更される、送信装置。
【請求項１２】
前記プロセッサは、前記複数の連続するサブフレームにおける、異なるＲＶが前記データに適用されるサブフレームに対して、異なるスクランブリングシーケンスを用いて前記データをスクランブするように構成されている、請求項１１に記載の送信装置。
【請求項１３】
前記プロセッサは、前記データをプリコーディングするように構成され、
前記データは、前記複数の連続するサブフレーム内のＰ個の連続するサブフレームにわたって同一のプリコーディング行列を使用してプリコーディングされ、Ｐは、前記送信装置によって構成される正の整数である、請求項１１または１２に記載の送信装置。
【請求項１４】
前記データは、前記Ｐ個の連続するサブフレームにおける同一のリソースブロックを使用して送信される、請求項１３に記載の送信装置。
【請求項１５】
前記プロセッサは、前記データと関連付けられる参照信号を前記複数の連続するサブフレームで複数回送信するように、前記ＲＦユニットを制御するように構成されている、請求項１１または１２に記載の送信装置。
【請求項１６】
データを受信する受信装置であって、前記受信装置は、
無線周波数（ＲＦ）ユニットと、
前記ＲＦユニットを制御するように構成されたプロセッサと
を備え、
前記プロセッサは、
複数の連続するサブフレームで前記データを複数回受信するように前記ＲＦユニットを制御することと、
前記データに対する重複バージョン（ＲＶ）および前記データに対するスクランブリングシーケンスに基づいて前記データを復号することと
を行うように構成され、
前記データに対する前記スクランブリングシーケンスは、Ｒ個の連続するサブフレームに対して同一であり、Ｒは、１より大きい所定の正の整数であり、
前記データに対する前記ＲＶは、前記スクランブリングシーケンスが同一である前記Ｒ個の連続するサブフレームにわたって同一であり、
前記データに対する前記ＲＶは、Ｒ個の連続するサブフレームごとに変更される、受信装置。
【請求項１７】
前記データは、前記複数の連続するサブフレーム内における、異なるＲＶが前記データに適用されるサブフレームに対して、異なるスクランブリングシーケンスを使用して復号される、請求項１６に記載の受信装置。
【請求項１８】
前記プロセッサは、プリコーディング行列を使用して前記データを受信するように、前記ＲＦユニットを制御するように構成され、
前記プリコーディング行列は、前記複数の連続するサブフレーム内のＰ個の連続するサブフレームにわたって同一であり、Ｐは、送信装置によって構成される正の整数である、請求項１６または１７に記載の受信装置。
【請求項１９】
前記データは、前記Ｐ個の連続するサブフレームにおける同一のリソースブロックを使用して受信される、請求項１８に記載の受信装置。
【請求項２０】
前記プロセッサは、前記データと関連付けられる参照信号を前記複数の連続するサブフレームで複数回受信するように、前記ＲＦユニットを制御するように構成されている、請求項１６または１７に記載の受信装置。
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
小線源治療の実行を補助する補助装置であって、該小線源治療の間において少なくとも１つの小線源治療シードを含む小線源治療シードの群が導入エレメントを使用することにより生体内に導入され、当該補助装置は、
−  前記生体への前記群の導入の間において前記導入エレメントの位置を追跡するトラッキングユニットと、
−  前記生体の超音波画像を発生する超音波ユニットであって、該超音波画像は前記生体内の前記群を示し、該超音波画像の発生が前記導入エレメントの前記追跡された位置に依存して制御される超音波ユニットと、
−  前記群における小線源治療シードの位置を発生された前記超音波画像に依存して決定するシード位置決定ユニットと、
を有する、補助装置。
【請求項２】
前記超音波ユニットは前記群が前記生体に導入される前の超音波画像及び前記群が前記生体に導入された後の現在の超音波画像を発生し、前記シード位置決定ユニットはこれら超音波画像を互いに対して位置合わせすると共に、これら位置合わせされた超音波画像を互いから減算することにより差分画像を発生し、且つ、前記群における小線源治療シードの位置を該発生された差分画像に依存して決定する、請求項１に記載の補助装置。
【請求項３】
各群が少なくとも１つの小線源治療シードを含む幾つかの群の小線源治療シードが前記導入エレメントを使用することにより前記生体に連続して導入される場合、前記超音波ユニットは１つの群が前記生体に導入された後に現在の超音波画像を発生し、前記シード位置決定ユニットは前記生体に既に導入された群の小線源治療シードの位置を前記発生された現在の超音波画像に依存して決定することにより、更なる群の導入を前記既に導入された群の小線源治療シードの位置に依存して可能にする、請求項１に記載の補助装置。
【請求項４】
前記シード位置決定ユニットが、
−  前記現在の超音波画像と、前の群より後であって現在の群が導入される前に取得された前の超音波画像とを互いに対して位置合わせし、
−  前記位置合わせされた超音波画像を互いから減算することにより差分画像を発生し、
−  現在導入された群の小線源治療シードの位置を前記差分画像に依存して決定し、
−  前記現在の群が導入されるより前に前記生体に導入された群の小線源治療シードの位置を供給し、
−  前記現在決定された位置及び前記供給された位置を組み合わせて、前記生体に既に導入された全ての群の小線源治療シードの位置を決定する、
請求項３に記載の補助装置。
【請求項５】
前記生体内の治療されるべき関心領域を前記発生された現在の超音波画像に依存して決定する関心領域決定ユニットを更に有し、該現在の超音波画像に依存して決定された関心領域にも依存して更なる群の導入を可能にする、請求項３に記載の補助装置。
【請求項６】
−  前記生体内の小線源治療シードの空間的配置を定める治療計画を供給する治療計画供給ユニットであって、前記導入エレメントが該治療計画に従って前記群を導入する治療計画供給ユニットと、
−  前記治療計画を前記生体に既に導入された前記群の小線源治療シードの前記決定された位置に基づいて更新する治療計画更新ユニットであって、前記導入エレメントが更なる群を該更新された治療計画に従って導入する治療計画更新ユニットと、
を更に有する、請求項３に記載の補助装置。
【請求項７】
前記生体内の治療されるべき関心領域を前記発生された現在の超音波画像に依存して決定する関心領域決定ユニットを有し、前記治療計画更新ユニットが前記治療計画を該決定された関心領域にも依存して更新する、請求項６に記載の補助装置。
【請求項８】
前記供給される治療計画は、基本超音波画像に示されると共に前記小線源治療シードにより治療されるべき関心領域に依存し、前記基本超音波画像は如何なる群の小線源治療シードが前記生体に導入されるよりも前に取得されたものであり、前記関心領域決定ユニットは前記基本超音波画像と前記現在の超音波画像とを互いに位置合わせさせる位置合わせ変換を発生すると共に該位置合わせ変換を使用することにより前記基本超音波画像に示される前記関心領域を更新し、前記治療計画更新ユニットは前記治療計画を前記生体に既に導入された前記群の小線源治療シードの前記決定された位置に基づいて、且つ、前記更新された関心領域に基づいて更新する、請求項７に記載の補助装置。
【請求項９】
前記超音波ユニットは前記超音波画像を発生するためにステアリング可能な超音波ビームを使用し、該超音波ビームは前記導入エレメントの前記追跡された位置に依存して制御される、請求項１に記載の補助装置。
【請求項１０】
前記超音波ユニットは、異なる超音波ビーム方向に対応する幾つかの超音波画像を取得すると共に、これら幾つかの超音波画像を組み合わせることにより合成された超音波画像を前記超音波画像として発生する、請求項１に記載の補助装置。
【請求項１１】
生体に小線源治療を施す小線源治療システムであって、
−  幾つかの群の小線源治療シードを治療計画に従って連続して前記生体に導入するための導入エレメントと、
−  請求項１に記載の小線源治療の実行を補助する補助装置と、
を有する、小線源治療システム。
【請求項１２】
小線源治療の実行を補助する補助方法であって、該小線源治療の間において少なくとも１つの小線源治療シードを含む小線源治療シードの群が導入エレメントを使用することにより生体内に導入され、当該補助方法は、
−  前記生体への前記群の導入の間において前記導入エレメントの位置をトラッキングユニットにより追跡するステップと、
−  前記生体の超音波画像を超音波ユニットにより発生するステップであって、該超音波画像は前記生体内の前記群を示し、該超音波画像の発生が前記導入エレメントの前記追跡される位置に依存して制御されるステップと、
−  前記群における小線源治療シードの位置を、シード位置決定ユニットにより、発生された前記超音波画像に依存して決定するステップと、
を有する、補助方法。
【請求項１３】
小線源治療の実行を補助するための補助コンピュータプログラムであって、該小線源治療の間において少なくとも１つの小線源治療シードを含む小線源治療シードの群が導入エレメントを使用することにより生体内に導入され、当該補助コンピュータプログラムは、請求項１に記載の補助装置に、該補助装置を制御するコンピュータ上で実行された場合に請求項１２に記載の補助方法を実行させるプログラムコード手段を有する、補助コンピュータプログラム。